(57)【要約】【課題】フィルタ外面のダストを容易に除去するとともに、除去されたダストを一つのダスト容器内へ容易に回収することができる集塵機を提供する。【解決手段】集塵機１２は、四角筒状の本体部１２ａと、その下方に連設された漏斗状の排出部１２ｃと、を備え、集塵室１２ｂ内に複数配置された円筒状のフィルタＦ内を負圧とすることにより、フィルタＦ外部からフィルタＦ内部へ通過する空気中のダストをフィルタＦ外面に捕捉する機能を有している。また、集塵機１２は、フィルタＦの軸心Ｃと平行に往復移動する移動部材２０と、フィルタＦ外面に接触した状態で移動部材２０に配置されたダスト除去手段と、移動部材２０と連動して、集塵室１２の下方の排出部１２ｃ下面に開設されたダスト排出口１７の内側から外側に至る一定範囲内を往復移動するダスト押圧手段２２と、を備えている。【選択図】図３
2007296473.tif 000002
【特許請求の範囲】
【請求項１】
集塵室内に配置された筒状のフィルタ内を負圧とすることにより、前記フィルタ外部から当該フィルタ内部へ通過する気体中のダストを当該フィルタ外面に捕捉する集塵機において、
少なくとも前記フィルタの軸心と平行方向に往復移動する移動部材と、
前記フィルタ外面に接触した状態で前記移動部材に配置されたダスト除去手段と、
前記フィルタ外面から離脱したダストを排出するため前記集塵室の下方に設けられたダスト排出口と、
前記集塵室内から前記ダスト排出口の外側に配置されるダスト回収手段に至るまでの領域の少なくとも一部を含む範囲内を往復移動するダスト押圧手段と、を備えたことを特徴とする集塵機。
【請求項２】
前記ダスト除去手段として、前記フィルタ外面を包囲する環状部材と、前記環状部材に着脱可能に取り付けられたブラシと、を設けた請求項１記載の集塵機。
【請求項３】
前記ダスト押圧手段として、前記移動部材から前記ダスト排出口に向かって延設された支柱と、前記支柱に取り付けられた環状の押圧部材と、を設けた請求項１記載の集塵機。
【請求項４】
前記ダスト押圧部材と前記移動部材とを連動させた請求項１〜３のいずれかに記載の集塵機。
【発明の詳細な説明】
【技術分野】
【０００１】
本発明は、産業廃棄物の破砕処理設備などから排出される破砕片やダストを含有する気体から破砕片やダストを分離回収する集塵機に関する。
【背景技術】
【０００２】
産業廃棄物の破砕処理設備においては、破砕工程で発生する破砕片やダスト混じりの気体から破砕片やダストを分離回収するための集塵機が使用されている。本願発明に関連する従来の集塵機としては、ダスト混じりの気体を濾過してダストなどを分離回収するための外面濾過式のフィルタが集塵室内に配置され、このフィルタの外面に付着したダストなどを払い落とすための移動部材を備えたものがある（例えば、特許文献１参照。）。
【０００３】
特許文献１記載の集塵機においては、フィルタと略同径で同数の開口部を有する昇降板が、該開口部がフィルタに外嵌する状態で昇降可能に配置され、この昇降板を昇降させることにより、フィルタ外面に付着したダストなどを払い落とす。フィルタ外面から払い落とされたダスト塊はフィルタ下方の支持部材上に堆積し、支持部材を通過したダストは集塵室の下部に設けられた排出用のロータリバルブで外部に排出される。支持部材上に堆積したダスト塊は、集塵機本体の下部に設けられた開閉取り出し口を開いて取り出される。
【０００４】
【特許文献１】特開２００３−２２５５２３号公報
【発明の開示】
【発明が解決しようとする課題】
【０００５】
特許文献１記載の集塵機の場合、フィルタ外面から払い落とされたダストは、支持部材上に堆積するものと、排出用のロータリバルブで外部に排出されるものとに別れる。このため、集塵機本体の下部に設けられた開閉取り出し口と、ロータリバルブの排出口との２カ所からダスト回収を行わなければならず、回収作業に多大な労力が費やされている。
【０００６】
本発明が解決しようとする課題は、フィルタ外面のダストを容易に除去するとともに、除去されたダストを一つのダスト容器内へ容易に回収することができる集塵機を提供することにある。
【課題を解決するための手段】
【０００７】
本発明の集塵機は、
集塵室内に配置された筒状のフィルタ内を負圧とすることにより、前記フィルタ外部から当該フィルタ内部へ通過する気体中のダストを当該フィルタ外面に捕捉する集塵機において、
少なくとも前記フィルタの軸心と平行方向に往復移動する移動部材と、
前記フィルタ外面に接触した状態で前記移動部材に配置されたダスト除去手段と、
前記フィルタ外面から離脱したダストを排出するため前記集塵室の下方に設けられたダスト排出口と、
前記ダスト排出口から排出されるダストの移動経路の少なくとも一部を含む領域を往復移動するダスト押圧手段と、を備えたことを特徴とする。
【０００８】
ここで、「ダスト」とは、気体中に含まれる浮遊物や塵埃などの微粒子物質に限定するものではなく、比較的外形の大きな破砕片なども含んでおり、フィルタによって捕捉可能な物質をいう。
【０００９】
このような構成とすれば、フィルタ外面に付着したダストは、フィルタ外面に接触した状態で、移動部材とともに、少なくともフィルタ軸心と平行方向に往復移動するダスト除去手段によって払い落とされ、集塵室の下方のダスト排出口を通過して外側へ落下するので、ダスト排出口に所定のダスト回収手段を配置しておけば、当該ダスト回収手段内へ容易に回収することができる。また、前記集塵室内から前記ダスト排出口の外側に配置されるダスト回収手段に至るまでの領域の少なくとも一部を含む範囲内を往復移動するダスト押圧手段により、集塵室内の下方部分やダスト排出口付近あるいはダスト排出口の外側などに滞留するダストをダスト回収手段内へ押し込むことができる。従って、フィルタ外面のダストを容易に除去するとともに、除去されたダストを一つのダスト回収手段内へ容易に回収することができる。また、ダスト押圧手段は、ダスト回収手段へ回収されたダストを押圧することもできるので、ダストの減容化を図ることもできる。
【００１０】
この場合、前記ダスト除去手段として、前記フィルタ外面を包囲する環状部材と、前記環状部材に着脱可能に取り付けられたブラシと、を設けることが望ましい。このような構成とすれば、フィルタ外面に付着しているダストをブラシによって簡単に除去することが可能となる。また、ブラシは環状部材に着脱可能であるため、長期間の使用などによって摩耗したブラシの取り替えも容易である。
【００１１】
一方、前記ダスト押圧手段として、前記移動部材から前記ダスト排出口に向かって延設された支柱と、前記支柱に取り付けられた環状の押圧部材と、を設けることが望ましい。このような構成とすれば、ダスト除去手段によりフィルタ外面から払い落とされたダストがダスト排出口へ落下するのを妨げることなく、ダスト回収手段内へのダスト押圧動作をスムーズに行うことができる。
【００１２】
また、前記ダスト押圧部材と前記移動部材とを連動させることもできる。このような構成とすれば、往復移動する前記移動部材と連動してダスト押圧部材が、ダスト排出口から排出されるダストの移動経路の少なくとも一部を含む領域を往復移動するので、両者の連係動作により、ダスト除去手段で払い落とされたダストをスムーズにダスト回収手段内へ収容、押圧することができる。
【発明の効果】
【００１３】
本発明により、フィルタ外面のダストを容易に除去するとともに、除去されたダストを一つのダスト回収手段内へ容易に回収することのできる集塵機を提供することができる。
【発明を実施するための最良の形態】
【００１４】
以下、図面に基づき、本発明の実施の形態について説明する。図１は本発明の実施の形態である集塵機を用いた破砕処理設備の概略構成を示す模式図、図２は図１に示す集塵機の拡大図、図３は図２に示す集塵機の概略構成を示す正面図、図４は図３に示す集塵機の右側面図、図５は図３に示す集塵機の一部省略左側面図、図６は図３のＡ−Ａ線における断面図、図７は図６の一部拡大図、図８は図３のＢ−Ｂ線における矢視図である。
【００１５】
図１に示す破砕処理設備１０は、産業廃棄物の一つである廃紙類などを破砕する機能を有する破砕機１１と、本発明の実施の形態である集塵機１２とを備えている。破砕機１１は、筒状の本体部１１ａ内に、モータ１１ｂで回転駆動される回転軸１１ｃと、回転軸１１ｃの外周に基端部が係止された複数のチェーン１１ｅと、それぞれのチェーン１１ｅの先端部に取り付けられた破砕具１１ｄと、を備えている。モータ１１ｂを稼働させ回転軸１１ｃを回転させると、遠心力の作用により、チェーン１１ｅは本体部１１ａ内において回転軸１１ｃを中心に放射状に伸びた状態で回転する。従って、投入口１３から本体部１１ａ内に投入された廃紙類などは、チェーン１１ｅの先端部の破砕具１１ｄの打撃力により細かく破砕され、微細な破砕片およびダスト（以下、「ダスト」という。）となり、空気に混じった状態で排出口１４から排出され、排気経路１５を経由して集塵機１２の導入口１６へ送り込まれる。
【００１６】
集塵機１２は、四角筒状の本体部１２ａと、その下方に連設された漏斗状の排出部１２ｃと、を備え、本体部１２ａ内に設けられた集塵室１２ｂ内に、円筒状をした複数のフィルタＦ（図２参照。）が直立状態で収容されている。これらのフィルタＦは、それぞれの軸心Ｃ（図３参照。）が垂直をなす姿勢で前後左右に４個ずつ配置され、合計１６個配列されている。本体部１２ａの下方の排出部１２ｃの側面には、破砕機１１の排出口１４から排出されたダスト混じりの空気を導入するための導入口１６が設けられ、本体部１２ａの上方には、集塵室１２ｂ内の空気を排出するための排気口１８が設けられている。排出部１２ｃの下面にはダスト排出口１７が開設され、このダスト排出口１７には袋状のダスト容器１９が、着脱可能に取り付けられている。また、本体部１２ａの側面には、開閉可能な扉３１（図４参照。）が設けられている。
【００１７】
排気口１８に連通された空気吸引装置（図示せず）を稼働させると、集塵室１２ｂ内に配列されたそれぞれのフィルタＦ内に負圧が発生し、フィルタＦの素材を通して集塵室１２ｂ内の空気が吸い込まれるため、集塵室１２ｂ内が負圧となる。従って、破砕機１１の排出口１４から排出されたダスト混じりの空気は、排気経路１５を経由して、集塵機１２の導入口１６から集塵室１２ｂ内へ流入し、フィルタＦの外部から内部へ通過する際に空気中のダストがフィルタＦの外面に捕捉される。
【００１８】
集塵機１２の集塵室１２ｂ内には、本体部１２ａの上部に配置されたモータＭにより、フィルタＦの軸心Ｃと平行に往復移動する略直方格子状の移動部材２０と、各フィルタＦの外面にそれぞれ接触した状態で移動部材２０に配置された複数のダスト除去手段２１（図６参照。）と、が配置されている。集塵室１２ｂの天井部分にある隔壁１２ｄを垂直方向に貫通して支軸２７（図４参照。）が昇降可能に配置され、支軸２７の下端部は移動部材２０に固定され、支軸２７の上端部には、昇降機２８が固定されている。モータＭを稼働させると、昇降機２８は支軸２７とともに、隔壁１２ｄの上面に立設された二本のガイド支柱２９に沿って昇降し、これによって、支軸２７とともに、移動部材２０が昇降する。
【００１９】
また、図５に示すように、本体部１２ａの上部に立設された二本の支柱３０の上下部分には、それぞれリミットスイッチＲ１〜Ｒ４が取り付けられ、昇降機２８の外周には、それぞれのリミットスイッチＲ１〜Ｒ４に当接、離脱する作動部Ｓ１〜Ｓ４が設けられている。従って、昇降機２８は、作動部Ｓ１〜Ｓ４がそれぞれリミットスイッチＲ１〜Ｒ４に当接、離脱する範囲内において昇降可能である。
【００２０】
一方、集塵室１２ｂの四隅には、図４に示すように、それぞれ四角筒状のガイド支柱２４が垂直方向に配置され、これらのガイド支柱２４の内部にそれぞれ可動支柱２５がスライド可能に挿入され、各可動支柱２５の下端部と、移動部材２０の四隅部分とがＬ字状の連結部材２６で連結されている。従って、移動部材２０は、停止中および移動中の何れの状態においても常に一定姿勢で保持される。
【００２１】
また、図２に示すように、移動部材２０と連動して、集塵室１２ｂの下方に設けられたダスト排出口１７の内側から外側に至る一定範囲内、即ち、集塵室１２ｂ内からダスト排出口１７の外側に配置されたダスト容器１９内に至るまでの一定範囲内を往復移動するダスト押圧手段２２を備えている。図６に示すように、移動部材２０の内側は、縦横に直交配置された複数の格子部材２０ａにより、フィルタＦの配列と同位相をなすように１６個の領域に区画され、それぞれの領域内にダスト除去手段２１が着脱可能に設けられている。
【００２２】
本実施形態では、図７に示すように、ダスト除去手段２１として、フィルタＦの外面を包囲する環状部材２１ａと、環状部材２１ａに着脱可能に取り付けられたブラシ２１ｂと、を設けている。環状部材２１ａは、Ｌ字状の取付具２３を介して、移動部材２０および格子部材２０ａに着脱可能に固定されている。ブラシ２１ｂは、その先端部をフィルタＦ外面に接触させた状態で、フィルタＦの周囲を放射状に取り囲むように配置されている。また、フィルタＦ内に負圧が生じているときもフィルタＦが円筒形状を保つことができるように、各フィルタＦ内には、金属線で形成された円筒カゴ型の形状維持部材３２が配置されている。
【００２３】
また、ダスト押圧手段２２として、移動部材２０の中心からダスト排出口１７に向かって延設された支柱２２ｂと、支柱２２ｂの下端部に着脱可能に取り付けられた環状の押圧部材２２ａと、を設けている。図８に示すように、環状の押圧部材２２ａは、その内側に十文字状に固定された支持部材２２ｃにより、支柱２２ｂの下端部に着脱可能に取り付けられている。
【００２４】
集塵機１２は、集塵室１２ｂ内に配置された円筒状のフィルタＦ内を負圧とすることにより、フィルタＦ外部からフィルタＦ内部へ通過する空気中のダストをフィルタＦの外面に捕捉することができる。フィルタＦ外面に付着したダストは、フィルタＦ外面に接触した状態で、移動部材２０とともにフィルタＦの軸心Ｃと平行に往復移動するダスト除去手段２１によって払い落とされ、集塵室１２ｂの下方のダスト排出口１７へ落下する。従って、ダスト排出口１７に所定のダスト容器１９を配置しておけば、当該ダスト容器１９内へ容易にダストを回収することができる。
【００２５】
また、移動部材２０と連動して、ダスト排出口１７を出入りするダスト押圧手段２２により、ダスト排出口１７付近に滞留するダストを、ダスト排出口１７の外側にあるダスト容器１９内へ押し込むことができる。従って、フィルタＦ外面のダストを容易に除去するとともに、除去されたダストを一つのダスト容器１９内へ容易に回収することができる。なお、本実施形態では、ダスト押圧手段２２は、ダスト排出口１７の内側から外側に至る一定範囲内を往復移動する構成となっているが、ダスト押圧手段２２の移動範囲はこれに限定するものではないので、例えば、集塵室１２ｂ内の下方部分からダスト排出口１７に至るまでの一定範囲内で往復移動したり、ダスト排出口１７の外側のダスト容器１９内の一定範囲内を往復移動したりする構成とすることもできる。
【００２６】
集塵機１２においては、ダスト除去手段２１として、フィルタＦ外面を包囲する環状部材２１と、環状部材２１に着脱可能に取り付けられたブラシ２１ｂと、を設けている。従って、フィルタＦ外面に付着しているダストをブラシ２１ｂによって簡単に除去することができる。また、ブラシ２１ｂは環状部材２１ａに着脱可能であるため、長期間の使用などによって摩耗したブラシ２１ｂの取り替えも容易である。
【００２７】
さらに、ダスト押圧手段２２として、移動部材２０の中心からダスト排出口１７に向かって延設された支柱２２ｂと、支柱２２ｂの下端部に着脱可能に取り付けられた環状の押圧部材２２ａと、を設けている。従って、ダスト除去手段２１により、フィルタＦ外面から払い落とされてダスト排出口１７へ落下するダストの移動を妨げることがなく、ダスト容器１９内への押圧移動をスムーズに行うことができる。なお、本体部１２ａの側面にある扉３１を開けば、集塵室１２ｂ内部が現れるため、清掃やメンテナンスも容易である。
【００２８】
本実施形態の場合、集塵機１２の稼働中、移動部材２０は連続的に自動昇降を繰り返すように設定されているが、これに限定するものではないので、一定時間ごとに間欠的に自動昇降させたり、必要なときに自動昇降させたりする設定を行うこともできる。また、手動操作により、昇降開始、昇降停止を行うこともできる。なお、本実施形態では、産業廃棄物の一つである廃紙類などの破砕処理設備１０の一部として集塵機１２を使用した場合について説明しているが、本発明の集塵機の用途はこれに限定するものでないので、繊維状素材を含む産業廃棄物などの破砕処理設備などにおいても使用することができる。
【産業上の利用可能性】
【００２９】
本発明は、産業廃棄物の破砕処理設備などを構成する集塵手段として、広く利用することができる。
【図面の簡単な説明】
【００３０】
【図１】本発明の実施の形態である集塵機を用いた破砕処理設備の概略構成を示す模式図である。
【図２】図１に示す集塵機の拡大図である。
【図３】図２に示す集塵機の概略構成を示す正面図である。
【図４】図３に示す集塵機の右側面図である。
【図５】図３に示す集塵機の一部省略左側面図である。
【図６】図３のＡ−Ａ線における断面図である。
【図７】図６の一部拡大図である。
【図８】図３のＢ−Ｂ線における矢視図である。
【符号の説明】
【００３１】
１０  破砕処理設備
１１  破砕機
１１ａ  本体部
１１ｂ  モータ
１１ｃ  回転軸
１１ｄ  破砕具
１１ｅ  チェーン
１２  集塵機
１２ａ  本体部
１２ｂ  集塵室
１２ｃ  排出部
１２ｄ  隔壁
１３  投入口
１４  排出口
１５  排気経路
１６  導入口
１７  ダスト排出口
１８  排気口
１９  ダスト容器
２０  移動部材
２０ａ  格子部材
２１  ダスト除去手段
２１ａ  環状部材
２１ｂ  ブラシ
２２  ダスト押圧手段
２２ａ  押圧部材
２２ｂ  支柱
２２ｃ  支持部材
２３  取付具
２４  ガイド支柱
２５  可動支柱
２６  連結部材
２７  支軸
２８  昇降機
２９  ガイド支柱
３０  支柱
３１  扉
３２  形状維持部材
Ｃ  軸心
Ｆ  フィルタ
Ｍ  モータ
Ｒ１，Ｒ２，Ｒ３，Ｒ４  リミットスイッチ
Ｓ１，Ｓ２，Ｓ３，Ｓ４  作動部
【図１】
2007296473.tif 000003
【図２】
2007296473.tif 000004
【図３】
2007296473.tif 000005
【図４】
2007296473.tif 000006
【図５】
2007296473.tif 000007
【図６】
2007296473.tif 000008
【図７】
2007296473.tif 000009
【図８】
2007296473.tif 000010